(57)【要約】      （修正有）【課題】猫などのフンを清潔かつ迅速に処理することができる猫などのフン回収用穴付きスコップ及び収納ケースを提供する。【解決手段】フン回収用穴付きスコップ３１は、スコップの掬い部３２の手元側に開口部３３を設け、この開口部にフン回収用の袋４１を取り付け、開口部の周囲とハンドル３４に袋固定具４２を設け、かつスコップの掬い部に設けた開口部の前部に猫砂を振り落とせるサイズの穴３６を有するネット部３５を設けた。【選択図】図２６
0003232166.tif 000002
【実用新案登録請求の範囲】
【請求項１】
掬い部と、前記掬い部に取り付けられたハンドルからなる猫などのフン回収用穴付きスコップであって、
前記掬い部のハンドル側に開口部を設け、
前記開口部の前部には猫砂を振り落とせるサイズの穴を有するネット部を設け、
前記掬い部とハンドルの適所にフン回収用の袋を固定する袋固定具を設け、
前記開口部に前記フン回収用の袋を取り付けて、猫などのフンを前記フン回収用の袋に収納して回収することができるようにしたことを特徴とする猫などのフン回収用穴付きスコップ。
【請求項２】
前記袋固定具が、前記開口部の周囲とハンドルに取り付けたフック状突起からなることを特徴とする請求項１に記載の猫などのフン回収用穴付きスコップ。
【請求項３】
前記フン回収用袋が、前記フック状突起に係止される固定用穴を設けてあることを特徴とする請求項２に記載の猫などのフン回収用穴付きスコップ。
【請求項４】
前記袋固定具が、前記開口部の周囲とハンドルに取り付けた開閉式のボタン状固定具からなることを特徴とする請求項１に記載の猫などのフン回収用穴付きスコップ。
【請求項５】
掬い部とハンドルからなる猫などのフン回収用穴付きスコップの収納ケースであって、前記スコップの掬い部とハンドルとを収納するケース本体と、このケース本体の底部に回動自在に装着され、ケース本体を閉じるケース蓋体とを有することを特徴とする猫などのフン回収用穴付きスコップの収納ケース。
【考案の詳細な説明】
【技術分野】
【０００１】
本考案は、猫などのフンを清潔かつ迅速に処理することができる猫などのフン回収用穴付きスコップ及び収納ケースに関するものである。
【背景技術】
【０００２】
従来の犬猫などのフン回収用穴付きスコップは特開２００６−１１０６５１号公報（特許文献１）のように、スコップ掬い部に開口部を設け、開口部に袋を取り付け、ハンドルに袋固定具とフックを設け、スコップとハンドルは一体にしてなるものであった。
【０００３】
前記犬猫などのフン回収用穴付きスコップは手もスコップも汚さず、非常に衛生的で便利なものであるが、通常猫などのフンは猫砂のような砂の上に排出されることが多く、この砂が袋に入ってしまうと重くなったり、廃棄処分の際にフンが燃えなくて非常に困ってしまう事態となっていた。
【先行技術文献】
【特許文献】
【０００４】
【特許文献１】特開２００６−１１０６５１号公報
【考案の概要】
【考案が解決しようとする課題】
【０００５】
解決しようとする問題点は、猫砂のような砂が袋に入ってしまうと重くなったり、廃棄処分の際にフンが燃えなくて困っている点を、袋に砂が入らないようにして大幅に解消しようとするものである。
【課題を解決するための手段】
【０００６】
すなわちこの考案の猫などのフン回収用穴付きスコップは、掬い部と、前記掬い部に取り付けられたハンドルからなる猫などのフン回収用穴付きスコップであって、前記掬い部のハンドル側に開口部を設け、前記開口部の前部には猫砂を振り落とせるサイズの穴を有するネット部を設け、前記掬い部とハンドルの適所にフン回収用の袋を固定する袋固定具を設け、前記開口部に前記フン回収用の袋を取り付けて、猫などのフンを前記フン回収用の袋に収納して回収することができるようにしたことを特徴とするものである。
【０００７】
この考案の猫などのフン回収用穴付きスコップにおいて、前記袋固定具が、前記開口部の周囲とハンドルに取り付けたフック状突起からなることをも特徴とするものである。
【０００８】
この考案の猫などのフン回収用穴付きスコップにおいて、前記フン回収用袋が、前記フック状突起に係止される固定用穴を設けてあることをも特徴とするものである。
【０００９】
この考案の猫などのフン回収用穴付きスコップにおいて、前記袋固定具が、前記開口部の周囲とハンドルに取り付けた開閉式のボタン状固定具からなることをも特徴とするものである。
【００１０】
この考案の猫などのフン回収用穴付きスコップ及び収納ケースが、前記掬い部とハンドルからなる猫などのフン回収用穴付きスコップの収納ケースであって、前記スコップの掬い部とハンドルとを収納するケース本体と、このケース本体の底部に回動自在に装着され、ケース本体を閉じるケース蓋体とを有することをも特徴とするものである。
【考案の効果】
【００１１】
この考案の猫などのフン回収用穴付きスコップは、スコップの掬い部の手元側に開口部を設け、この開口部にフン回収用の袋を取り付け、開口部の周囲とハンドルに袋固定具を設け、かつスコップの掬い部に設けた開口部の前部に猫砂を振り落とせるサイズの穴を有するネット部を設けたものであり、いままでのように猫砂が袋に入ってしまって困ってしまうという不利益を解消できるという利点がある。
【図面の簡単な説明】
【００１２】
【図１】猫などのフン回収用穴付きスコップの第１実施例を示した概略平面図である。
【図２】その概略側面図である。
【図３】その概略断面図である。
【図４】その概略底面図である。
【図５】その概略前面図である。
【図６】その概略後面図である。
【図７】その概略斜視図である。
【図８】その概略斜視断面図である。
【図９】その、開口部にフン回収用の袋を取り付けた状態を示した概略平面図である。
【図１０】その概略側面図である。
【図１１】その概略断面図である。
【図１２】その概略斜視図である。
【図１３】猫などのフン回収用穴付きスコップの第２実施例を示した概略斜視図である。
【図１４】その概略断面図である。
【図１５】その変形例を示す概略斜視図である。
【図１６】その概略斜視断面図である。
【図１７】その概略平面図である。
【図１８】その概略側面図である。
【図１９】その概略断面図である。
【図２０】その概略底面図である。
【図２１】その概略前面図である。
【図２２】その概略後面図である。
【図２３】その、開口部にフン回収用の袋を取り付けた状態を示した概略平面図である。
【図２４】その概略側面図である。
【図２５】その概略断面図である。
【図２６】その概略斜視図である。
【図２７】収納ケースの蓋を閉じた状態を示した収納ケースの概略正面図である。
【図２８】その蓋を開いた状態の概略正面図である。
【図２９】その蓋を閉じた状態の概略側面図である。
【図３０】その蓋を開いた状態の概略側面図である。
【図３１】収納ケース内にフン回収用穴付きスコップを収納し、蓋を閉じた状態の概略正面図である。
【考案を実施するための形態】
【００１３】
以下、この考案の猫などのフン回収用穴付きスコップの第１実施例を図１ないし図１２に基いて説明する。
まず、猫などのフン回収用穴付きスコップは、図１ないし図１２に示すように、スコップ１１の掬い部１２の手元側に開口部１３を設け、この開口部１３にフン回収用の袋２１を取り付け、開口部１３の周囲とハンドル１４に袋固定具２２を設け、かつスコップ１１の掬い部１２に設けた開口部１３の前部に猫砂を振り落とせるサイズの穴１６を有するネット部１５を設けたものである。
【００１４】
そして、図１は猫などのフン回収用穴付きスコップの概略平面図、図２はその概略側面図である。図３はその概略断面図である。
また、図４はその概略底面図、図５はその概略前面図、図６はその概略後面図、図７はその概略斜視図、図８はその概略斜視断面図である。
そして、前記スコップ１１の掬い部１２の手元側に設けた開口部１３はほぼ平面状部分に形成されており、フン回収用の袋２１を無理なく取り付けることができるようになっている。
【００１５】
また、前記スコップ１１の掬い部１２に設けた開口部１３の前部にはネット部１５が設けられており、ネット部１５には猫砂を振り落とせるサイズの穴１６が前後２列に配置されている。そしてネット部１５に配置した各列の穴１６は縦長の形状のものを複数並べて配列し、かつそれを前後２列に並べてある。
このようにネット部１５に猫砂を振り落とせるサイズの穴１６を前後２列に配置したことにより、猫砂をより確実に振り落とせるようになったのである。もちろん、ネット部１５に配置した各列の穴１６は縦長の形状に限られるものではなく、横長や円形、三角形等の適宜形状を採用することができる。
【００１６】
次に、図９は開口部にフン回収用の袋を取り付けた状態を示した概略平面図、図１０はその概略側面図、図１１はその概略断面図、図１２はその概略斜視図である。
すなわち、前記開口部１３にフン回収用の袋２１を取り付け、開口部１３の周囲とハンドル１４に袋固定具２２を設け、かつ開口部１３の前部に猫砂を振り落とせるサイズの穴１６を有するネット部１５を設けてある。
【００１７】
そして、この考案の猫などのフン回収用穴付きスコップ１１は、前記袋固定具２２が、開口部１３の周囲とハンドル１４に取り付けたフック状突起からなり、前記開口部１３に前記フン回収用の袋２１を落とし込んだ上で、前記フン回収用の袋２１の開口縁付近を前記開口部１３の周囲とハンドル１４に取り付けたフック状突起からなる袋固定具２２に係止させて固定することができる。このとき、前記フン回収用の袋２１に前記フック状突起からなる前記袋固定具にはめ込む固定用穴（図示せず）を設けてもよい。
このように構成したことにより、猫などのフン回収用穴付きスコップ１１の開口部１３に非常に簡単に、ワンタッチで前記フン回収用の袋２１を取り付けることができるようになったのである。
【００１８】
次に、この考案の猫などのフン回収用穴付きスコップの第２実施例を図１３ないし図２６に基いて説明する。
まず、図１３は猫などのフン回収用穴付きスコップの概略斜視図、図１４はその概略断面図である。
また、図１５は開閉式の袋固定具を開いた状態の概略斜視図、図１６はその概略斜視断面図である。
さらに、図１７はその概略平面図、図１８はその概略側面図、図１９はその概略断面図、図２０はその概略底面図、図２１はその概略前面図、図２２はその概略後面図である。
【００１９】
本例において、猫などのフン回収用穴付きスコップは、図１３ないし図２２に示すように、スコップ３１の掬い部３２の底部とハンドル３４側の側壁とにまたがる開口部３３を設け、この開口部３３にフン回収用の袋４１を取り付け、開口部３３の底部側近辺の適所とハンドル３４にそれぞれ開閉式の袋固定具４２を設け、かつスコップ３１の掬い部３２に設けた開口部３３の前部に猫砂を振り落とせるサイズの穴３６を有するネット部３５を設けたものである。もちろん、ネット部３５に配置した各列の穴３６は縦長、横長や円形、三角形等の適宜形状を採用することができる。
【００２０】
本例の猫などのフン回収用穴付きスコップ３１においては、前記開閉式の袋固定具４２が、開口部３３の底部側近辺の適所とハンドル３４に取り付けたボタン状固定具４２ａからなり、開口部３３の周囲とハンドル３４にもボタン状固定具４２ａを設け、このボタン状固定具４２ａをパチンとはめ込むことにより、フン回収用の袋４１を取り付けるようにしたことが特徴である。
【００２１】
次に、図２３は開口部３３にフン回収用の袋４１を取り付けた状態を示した概略平面図、図２４はその概略側面図、図２５はその概略断面図、図２６はその概略斜視図である。
いずれにしても、開口部３３にフン回収用の袋４１をボタン状固定具４２ａによってワンタッチで取り付けることができるので非常に便利である。
なお、袋固定具２２や開閉式の袋固定具４２は、前記実施例の記載に限定されるものではなく、フン回収用の袋２１，４１を簡単に固定することができるものであれば適宜採用することができることは当然のことである。
【００２２】
以上の猫などのフン回収用穴付きスコップ１１，３１は、図２７ないし図３１に示すような収納ケースによって部屋の隅や棚上などに保管される。
図２７は収納ケースの蓋を閉じた状態を示した収納ケースの概略正面図、図２８は蓋を開いた状態の概略正面図、図２９は蓋を閉じた状態の概略側面図、図３０は蓋を開いた状態の概略側面図、図３１は収納ケース内にフン回収用穴付きスコップを収納し、蓋を閉じた状態の概略透視正面図である。
【００２３】
いずれにしても、スコップ１１，３１の掬い部１２，３２を収納するケース本体５１ａと、その上部にハンドル１４，３４を収納ハンドル部５１ｂとが形成された収納ケース５１内に、猫などのフン回収用穴付きスコップ１１，３１を収納し、ケース蓋体５２を閉じることにより、猫などのフン回収用穴付きスコップ１１，３１を非常に簡単に適所に保管することができるので非常に便利である。
【産業上の利用可能性】
【００２４】
この考案の猫などのフン回収用穴付きスコップは、スコップの掬い部の手元側に開口部を設け、この開口部にフン回収用の袋を取り付け、開口部の周囲とハンドルに袋固定具を設け、かつスコップの掬い部に設けた開口部の前部に猫砂を振り落とせるサイズの穴を有するネット部を設けたものであり、いままでのように猫砂が袋に入ってしまって困ってしまうという不利益を解消でき、非常に有意義に利用することができるという利点がある。
【符号の説明】
【００２５】
１１  スコップ
１２  掬い部
１３  開口部
１４  ハンドル
１５  ネット部
１６  穴
２１  フン回収用の袋
２２  袋固定具
３１  スコップ
３２  掬い部
３３  開口部
３４  ハンドル
３５  ネット部
３６  穴
４１  フン回収用の袋
４２  袋固定具
４２ａ  ボタン状固定具
５１  収納ケース
５１ａ  ケース本体
５１ｂ  ハンドル部
５２  ケース蓋体
【図１】
0003232166.tif 000003
【図２】
0003232166.tif 000004
【図３】
0003232166.tif 000005
【図４】
0003232166.tif 000006
【図５】
0003232166.tif 000007
【図６】
0003232166.tif 000008
【図７】
0003232166.tif 000009
【図８】
0003232166.tif 000010
【図９】
0003232166.tif 000011
【図１０】
0003232166.tif 000012
【図１１】
0003232166.tif 000013
【図１２】
0003232166.tif 000014
【図１３】
0003232166.tif 000015
【図１４】
0003232166.tif 000016
【図１５】
0003232166.tif 000017
【図１６】
0003232166.tif 000018
【図１７】
0003232166.tif 000019
【図１８】
0003232166.tif 000020
【図１９】
0003232166.tif 000021
【図２０】
0003232166.tif 000022
【図２１】
0003232166.tif 000023
【図２２】
0003232166.tif 000024
【図２３】
0003232166.tif 000025
【図２４】
0003232166.tif 000026
【図２５】
0003232166.tif 000027
【図２６】
0003232166.tif 000028
【図２７】
0003232166.tif 000029
【図２８】
0003232166.tif 000030
【図２９】
0003232166.tif 000031
【図３０】
0003232166.tif 000032
【図３１】
0003232166.tif 000033